(57)【要約】【課題】  棚やフックなどを組み合わせた自由な収納配置を可能であり、間仕切壁の内部の空間を有効利用することができる壁体内収納構造及び当該壁体内収納構造を有する住宅を提供する。【解決手段】壁体内収納構造１は、間仕切壁２の一方の面に開口７が形成され、当該間仕切壁２の内部に物品Ｇを収納可能な収納スペースが形成される壁体内収納構造１であって、前記収納スペースの奥行き方向の最奥側に設けられる背面板８と、前記背面板８の開口７側に固定される枠体１２と、前記背面板８と距離を開けて平行に前記枠体１２に固定され、複数の孔１０が形成された有孔ボード９とを備える。【選択図】図６
2018178568.tif 000002
【特許請求の範囲】
【請求項１】
間仕切壁の一方の面に開口が形成され、当該間仕切壁の内部に物品を収納可能な収納スペースが形成される壁体内収納構造であって、
前記収納スペースの奥行き方向の最奥側に設けられる背面板と、
前記背面板の開口側に固定される枠体と、
前記背面板と距離を開けて平行に前記枠体に固定され、複数の孔が形成された有孔ボードとを備えることを特徴とする壁体内収納構造。
【請求項２】
前記開口は床面から天井面まで形成されることを特徴とする請求項１に記載の壁体内収納構造。
【請求項３】
前記枠体は、矩形の外周枠と、当該外周枠の内側に架設される横桟とを有することを特徴とする請求項１又は請求項２に記載の壁体内収納構造。
【請求項４】
前記有孔ボードの孔に挿入されて係止する棚受金具をさらに有することを特徴とする請求項１から請求項３のいずれかに記載の壁体内収納構造。
【請求項５】
前記有孔ボードの孔に挿入されて係止するフック金具をさらに有することを特徴とする請求項１から請求項４のいずれかに記載の壁体内収納構造。
【請求項６】
前記開口を開閉自在な扉が形成され、当該扉の前記開口を閉じたときに表側となる面に鏡が設けられることを特徴とする請求項１から請求項５のいずれかに記載の壁体内収納構造。
【請求項７】
複数の居室にそれぞれ１箇所ずつ請求項１から請求項６のいずれかの壁体内収納構造が形成されることを特徴とする住宅。
【発明の詳細な説明】
【技術分野】
【０００１】
本発明は、住宅の間仕切壁の内部に物品を収納可能な収納スペースが形成される壁体内収納構造及び当該壁体内収納構造を有する住宅に関する。
【背景技術】
【０００２】
従来より間仕切壁の内部のスペースを有効活用するために、並立する２本の柱と、上下に配置された２つの横架材とによって囲まれる空間に、内面が化粧仕上された枠体と背面板とを有する一方が開口した箱体を配置して、当該間仕切壁内部の空間を収納スペースとして用いるものが知られている（例えば特許文献１、特許文献２参照）。
【０００３】
そして、上述のような構造においては、箱体の中に棚板を固定して収納物を整理しつつ収納できるようにしている。棚板は、箱体の側板に設けられている突条によって支持されるものや箱体内の側板に設けられたねじ穴にダボを取り付けて支持されるものが開示されている。ねじ穴にダボを取り付けて支持する構造の場合には、側板に多数のねじ穴を設けておくことで、ダボを取り付けるねじ穴を変更することで、棚板の高さを変更することができる。
【先行技術文献】
【特許文献】
【０００４】
【特許文献１】特開平６−３３０５７７号公報
【特許文献２】特開２００１−１７３２２０号公報
【発明の概要】
【発明が解決しようとする課題】
【０００５】
ところで、上述のような間仕切壁の内部に収納スペースを設ける構造は、棚の高さを変更することができるものの、設置できるのは左右の側壁に架設される棚のみであり、間仕切壁の厚さも限られていることから収納できる物品が限定される問題があった。
【０００６】
そこで本発明は、棚やフックなどを組み合わせた自由な収納配置を可能であり、間仕切壁の内部の空間を有効利用することができる壁体内収納構造及び当該壁体内収納構造を有する住宅を提供することを目的とする。
【課題を解決するための手段】
【０００７】
本発明の壁体内収納構造は、間仕切壁の一方の面に開口が形成され、当該間仕切壁の内部に物品を収納可能な収納スペースが形成される壁体内収納構造であって、前記収納スペースの奥行き方向の最奥側に設けられる背面板と、前記背面板の開口側に固定される枠体と、前記背面板と距離を開けて平行に前記枠体に固定され、複数の孔が形成された有孔ボードとを備えることを特徴としている。
【０００８】
本発明の壁体内収納構造は、前記開口は床面から天井面まで形成されることを特徴としている。
【０００９】
本発明の壁体内収納構造は、前記枠体は、矩形の外周枠と、当該外周枠の内側に架設される横桟とを有することを特徴としている。
【００１０】
本発明の壁体内収納構造は、前記有孔ボードの孔に挿入されて係止する棚受金具をさらに有することを特徴としている。
【００１１】
本発明の壁体内収納構造は、前記有孔ボードの孔に挿入されて係止するフック金具をさらに有することを特徴としている。
【００１２】
本発明の壁体内収納構造は、前記開口を開閉自在な扉が形成され、当該扉の前記開口を閉じたときに表側となる面に鏡が設けられることを特徴としている。
【００１３】
本発明の住宅は、複数の居室にそれぞれ１箇所ずつ請求項１から請求項５のいずれかの壁体内収納構造が形成されることを特徴としている。
【発明の効果】
【００１４】
本発明の壁体内収納構造は、間仕切壁の一方の面に開口が形成されており、当該間仕切壁の内部に物品を収納可能な収納スペースが形成されるものである。そして、収納スペースの奥行き方向の最奥側に背面板が設けられ、この背面板の開口側に枠体が固定されており、有孔ボードが枠体によって背面板と距離を開けて平行に枠体に固定されているので、有孔ボードに金具などを係止することができ、収納する物品に応じて当該物品を吊り下げるフックや棚板を固定するための金具などを自由に配置することができる。また、有孔ボードの孔に係止するだけでフック金具や棚受金具を配置することができるので、フックや棚板の配置を変更したい場合にも極めて簡単に配置を変更することができる。
【００１５】
本発明の壁体内収納構造によると、開口は床面から天井面まで形成されるので、長尺物を高さ方向に収納することができる壁体内収納構造とすることができ、例えばフック金具などを用いた場合には収納する長尺物を吊り下げて保管することができる。
【００１６】
本発明の壁体内収納構造によると、枠体が、矩形の外周枠と当該外周枠の内側に架設される横桟とを有しているので、有孔ボードを固定する下地となる枠体を棚板やフックなどを固定する金具を係止する必要がない外周部分及び強度を確保するために必要な横桟のみとすることで、その他の部分の有孔ボードの孔の裏側には背面板との間に空間が形成されるので、棚板やフックなどを物品を収納する際に使いやすい部分に有効に配置することができる。
【００１７】
本発明の壁体内収納構造によると、有孔ボードの孔に挿入されて係止する棚受金具をさらに有するので、壁体内収納構造に棚板を設置することができ、係止する有孔ボードの孔を変更することで、容易に棚の位置を変更することができる。しかも収納スペースの両側面板の間に架設するのではなく、背面側の有孔ボードによって棚受金具を係止するので、例えば収納スペースの幅方向の一部に棚を設けて他の部分には長尺物を配置することもできる。
【００１８】
本発明の壁体内収納構造によると、有孔ボードの孔に挿入されて係止するフック金具をさらに有するので、収納スペースの自由な位置にフックを設けることができ、しかも、有孔ボードの孔に係止しているだけであるので、フックの位置を簡単に変更することができる。
【００１９】
本発明の壁体内収納構造によると、開口を開閉自在な扉が形成され、当該扉の開口を閉じたときに表側となる面に鏡が設けられているので、収納した物品が見えないように壁体内収納構造を閉じることができるとともに、当該壁体内収納構造を閉じた場合にも鏡として有効利用することができる。
【００２０】
本発明の住宅によると、複数の居室にそれぞれ１箇所ずつ上記いずれかの壁体内収納構造が形成されているので、例えばフロアワイプや箒などの長尺物をフックに吊り下げ収納するとともに、ゴミ袋やフロアワイプのシートなどを棚に載置して保管することで、掃除用具を簡単に保管することができ、且つ、複数の居室にある壁体内収納構造にそれぞれ掃除用具を保管すれば、他の部屋に掃除用具を取りに行く必要がなく効率的に掃除を行うことができる。
【図面の簡単な説明】
【００２１】
【図１】壁体内収納構造の構成を説明する天井面を省略した斜視図。
【図２】図１の壁体内収納構造の水平断面図。
【図３】壁体内収納構造の構成を説明する分解斜視図。
【図４】棚受金物及びフック金物を設置した壁体内収納構造の鉛直断面図。
【図５】図４のＸ部分拡大図。
【図６】棚板及びフックに収納する物品を配置した状態の壁体内収納構造を説明する図。
【図７】棚板が壁体内収納構造の幅方向の一部に設けられた壁体内収納構造の例を示す図。
【図８】開口に扉が設けられた壁体内収納構造の変形例を示す図。
【図９】壁体内収納構造を有する住宅の２階断面を示す図。
【発明を実施するための形態】
【００２２】
以下、本発明の壁体内収納構造１の最良の実施形態について各図を参照しつつ説明する。壁体内収納構造１は、間仕切壁２の内部に物品Ｇを収納可能な収納スペースが形成される構造である。壁体内収納構造１は、本実施形態においては住宅３の間仕切壁２の収納構造として用いているが、中空部を備えた間仕切壁２を有する建築物であれば、どのような建築物にも用いることができる。間仕切壁２は立設される複数の下地材４の両面に面材５を張り渡して形成される屋内空間を仕切る壁である。下地材４は例えば木製角材であってもよく、又は鋼製のスタッドであってもよい。面材５は例えば石膏ボードであり、その表面には図示しないが壁クロスが貼付される。面材５の下端には幅木６が固定されている。
【００２３】
壁体内収納構造１は、図１から図３に示すように、間仕切壁２の一方の面に開口７が形成されており、間仕切壁２の内部に物品を収納可能な収納スペースが形成されている。開口７は、間仕切壁２の一方の面の面材５の一部を設けないことによって形成されている。開口７は幅方向が互いに隣り合う一対の下地材４よりも短く、高さ方向が床面Ｆから図示しない天井面Ｃまでの高さに等しい。
【００２４】
壁体内収納構造１の収納スペースの最奥には背面板８が設けられている。背面板８は、間仕切壁２の他方の面を形成している面材５に当接するように配置されている。背面板８は例えば石膏ボードであるが、これに限定されるものではなく例えば合板などの木製板材であってもよい。なお背面板８は後述する有孔ボード９の孔１０を通して外部から視認できるので、背面板８の開口７側の面には例えば壁クロスなどの化粧材を貼付してもよい。
【００２５】
壁体内収納構造１の左右両側には一対の下地材４の互いに向き合う面に沿って側板１１が設けられている。側板１１は例えば石膏ボードで構成されている。なお、側板１１は例えば合板などの木製板材であってもよい。側板１１の表面には壁クロスが貼付されている。
【００２６】
また、壁体内収納構造１は、背面板８の開口７側に枠体１２が固定されている。枠体１２は、矩形の外周枠１２ａと、当該外周枠１２ａの内側に架設される横桟１２ｂとを有している。枠体１２は高さが床面Ｆから天井面Ｃまでの高さに等しく、幅が開口７の幅に等しい寸法であり、外周枠１２ａの内側には４本の横桟１２ｂが上下にほぼ等間隔で架設されている。枠体１２は図３に示すように、壁体内収納構造１の収納スペース内に設置する前に木製長尺材をピンタッカーもしくはフィニッシュネイルで組み立てて形成されている。枠体１２は、背面板８に接着剤及びビスで固定されるとともに、床面Ｆ、天井面Ｃ、及び側板１１にも接着剤及びビスで固定される。なお、外周枠１２ａの下弦材の上には平板状の飾り幅木１３の下地板１２ｄが外周枠１２ａの両側材の間に架設されている。下地板１２ｄは、枠体１２を収納スペースに設置した後に固定される。
【００２７】
そして、枠体１２の開口７側には背面板８との間に距離を開けて平行な有孔ボード９が固定される。有孔ボード９は高さ方向及び幅方向にそれぞれ３０ｍｍピッチ又は２５ｍｍピッチで多数の孔１０が形成された木製平板である。有孔ボード９は木製の他、例えば樹脂などの材料で形成されるものであってもよい。有孔ボード９は幅が開口７の幅に等しく、高さが天井から飾り幅木１３の上端までの長さである。有孔ボード９の上端には図示しないフィラー材が固定されており、有孔ボード９の両側端にはヒモ材１４が固定されている。また、側板１１の下端から枠体１２の下端には飾り幅木１３が間仕切壁２の幅木６と連なるように固定されている。
【００２８】
以上のような壁体内収納構造１には、図４から図６に示すように、棚板１５及びフック金具１７が設けられる。図５及び図６に表れるように、棚板１５は棚受金具１６によって有孔ボード９に固定される。棚受金具１６は側面視コ字状に折り曲げられた金属棒材であり、有孔ボード９の上下の孔１０に挿入される端部がそれぞれ小さく折り曲げられて、当該孔１０に係止されている。なお、棚受金具１６の形状はこれに限定されるものではなく、有孔ボード９の孔１０に挿入されて係止される形状を有しており、且つ、棚板１５を受けることができる強度を有していればどのような形状のものであってもよい。
【００２９】
また、フック金具１７は一端が有孔ボード９の孔１０に挿入されて係止される係止部１７ｂを形成しており、他端が、有孔ボード９から突出して収納スペースに収納する物品Ｇを引っ掛ける例えば側面視Ｊ字状のフック１７ａを形成している。なお、フック金具１７のフック１７ａは物品Ｇを引っ掛けることができる形状又は物品Ｇを保持することができる形状であれば、収納する物品Ｇの形状に応じて適切なものを選択することができる。壁体内収納構造１は、有孔ボード９を有しており、有孔ボード９の裏面に背面板８との間に空間が形成されているので、有孔ボード９の孔１０に挿入して係止することのできる金具であればどのようなものであっても用いることができる。
【００３０】
このように本実施形態の壁体内収納構造１によると、有孔ボード９に棚受金具１６やフック金具１７を係止することで、収納する物品Ｇに応じて当該物品Ｇを吊り下げるフック１７ａや棚板１５を自由に配置することができる。そして、有孔ボード９の孔１０に係止するだけでフック金具１７や棚受金具１６を配置していることから、フック１７ａや棚板１５の配置を変更したい場合にも極めて簡単に配置を変更することができる。特に、本実施形態の壁体内収納構造１は、開口７が床面Ｆから天井面Ｃまで形成されるので、例えば物品Ｇとして箒やフロアワイプなどの長尺な掃除用具を吊り下げて保管することに適しており、また、棚板１５を設けることで様々な掃除用具を整理して適切に保管することができる。
【００３１】
なお壁体内収納構造１の棚板１５は、背面板８と空間を開けて平行に設けられた有孔ボード９に固定されているので、両側の側板１１の間に架設される場合と異なり、図７に示すように、壁体内収納構造１の幅方向の全長に亘って棚板１５を設ける必要がない。したがって、一部に棚板１５を設けつつ、棚板１５の横に長尺物を吊り下げることもできるので、収納できる物品Ｇの量を確保しつつ、特に特に長尺な物品Ｇも吊り下げて収納することができる。
【００３２】
また、壁体内収納構造１は、図８に示すように、開口７を開閉自在な扉１８が形成されていてもよい。扉１８は、図８（Ａ）に示すように、開口７の一方の側縁に設けられた蝶番１９によって開閉可能な開き戸１８ａであってもよく、又は図８（Ｂ）に示すように、開口７の上縁及び下縁に設けられたレール２０に沿ってスライドする引き違い戸１８ｂであってもよい。また、図示しないが、例えば引き戸や折れ戸であってもよい。なお、扉１８は図８（Ａ）に示すように、開口７を閉じたときに表側となる面に鏡２１が設けられていてもよい。このように構成すると、収納した物品Ｇが見えないように壁体内収納構造１を閉じることができるとともに、当該壁体内収納構造１を閉じた場合にも鏡２１として有効利用することができる。
【００３３】
以上のように構成される壁体内収納構造１を有する住宅３は、図９に示すように、複数の居室Ｒにそれぞれ１箇所ずつ壁体内収納構造１が形成されているものがより好ましい。このように構成すると、物品Ｇとして様々な掃除用具を各居室Ｒ毎に保管することができるので、他の部屋に掃除用具を取りに行く必要がなく効率的に掃除を行うことができる。
【００３４】
なお、本実施形態においては壁体内収納構造１は物品Ｇとしての掃除用具を収納する収納構造として説明したが、これに限定されるものではなく間仕切壁２の厚さの範囲内で収納可能な様々な物品Ｇを収納する壁体内収納構造１として用いることができる。また、壁体内収納構造１は、居室Ｒに設けるものに限定されるものではなく、例えばキッチンに配置して物品Ｇとしての調理用具や食材を収納するものとしてもよく、又は、クローゼットの中に壁体内収納構造１を配置して、クローゼットの収納容量を増加させるとともに当該クローゼット内の収納物を整理して収納できるようにしてもよい。
【００３５】
なお、本発明の実施の形態は上述の実施形態に限ることなく、本発明の思想の範囲を逸脱しない範囲で適宜変更することができることは云うまでもない。
【産業上の利用可能性】
【００３６】
本発明に係る壁体内収納構造１及び住宅３は、例えば戸建住宅や集合住宅の間仕切壁２の厚さを利用した収納として好適に用いることができる。
【符号の説明】
【００３７】
１      壁体内収納構造
２      間仕切壁
３      住宅
７      開口
８      背面板
９      有孔ボード
１０    孔
１２    枠体
１２ａ  外周枠
１２ｂ  横桟
１５    棚板
１６    棚受金具
１７    フック金具
１８    扉
２１    鏡
Ｒ      居室
【図１】
2018178568.tif 000003
【図２】
2018178568.tif 000004
【図３】
2018178568.tif 000005
【図４】
2018178568.tif 000006
【図５】
2018178568.tif 000007
【図６】
2018178568.tif 000008
【図７】
2018178568.tif 000009
【図８】
2018178568.tif 000010
【図９】
2018178568.tif 000011